(57)【要約】      （修正有）【課題】弱電界地域においてテレビアンテナによる受信信号を増幅するのに最適なＴＶ受信用増幅装置を提供する。【解決手段】テレビアンテナの給電部６０に第１の増幅器３３を内蔵させた第１の増幅装置３０と，出力と入力との間を電流通過させる電源分離フィルター４１，４４と第２の増幅器４３とを備えた第２の増幅装置４０と，前記第１の増幅装置３０の出力と前記第２の入力との間及び前記第２の増幅装置４０の出力と前記電源供給装置５０の入力との間を接続する伝送路６２・６３を介して，前記電源供給装置５０から電源供給すると共に，前記第２の増幅装置４０は直接手が届く範囲に設置される。【選択図】図１
2004214939.tif 000002
【特許請求の範囲】
【請求項１】
テレビアンテナによる受信信号を増幅するＴＶ受信用増幅装置において，
上記テレビアンテナの給電部に内蔵させた第１の増幅器からなる第１の増幅装置と，
出力端子と入力端子との間を電流通過するように構成された電源分離フィルターと第２の増幅器とからなる第２の増幅装置と，
電源供給装置とを備え，
上記第１の増幅装置は支柱の上部に，上記第２の増幅装置は前記支柱の下部に配設され，
上記第１の増幅装置の出力端子と第２の増幅装置の入力端子間及び，上記第２の増幅装置の出力端子と電源供給装置の入力端子間を接続する伝送路を介して，当該電源供給装置から第１の増幅装置及び第２の増幅装置に電源供給するようにしたことを特徴としたＴＶ受信用増幅装置。
【請求項２】
上記第２の増幅装置は，少なくとも直接手で触れる位置に配設するようにしたことを特徴とした請求項１に記載のＴＶ受信用増幅装置。
【請求項３】
上記電源供給装置に上記第２の増幅器を内蔵させた電源供給装置を形成し，上記第１の増幅装置の出力端子と，当該電源供給装置の入力端子間を接続する伝送路を介して，当該電源供給装置から上記第１の増幅器に電源供給するようにしたことを特徴としたＴＶ受信用増幅装置。
【請求項４】
上記電源供給装置は，少なくとも直接手で触れる位置に配設するようにしたことを特徴とした請求項３に記載のＴＶ受信用増幅装置。
【請求項５】
上記第１の増幅装置及び第２の増幅装置は少なくともテレビ信号のＶＨＦ帯を増幅する増幅器から構成されていることを特徴とした請求項１乃至請求項４のいずれかに記載のＴＶ受信用増幅装置。
【発明の詳細な説明】
【０００１】
【発明の属する技術分野】
本発明は，テレビアンテナで受信された信号を増幅するためのＴＶ受信用増幅装置に関し，詳しくは特に弱電界地域において使用することに有効なＴＶ受信用増幅装置に関する。
【０００２】
【従来の技術】
従来，図６に示すように，特に弱電界地域において例えばＶＨＦの電波を受信しようとした場合，電波のハイトパターンも考慮して，アンテナマスト１０１をなるべく高く（例えば１０乃至２０ｍ）してテレビアンテナ２０をできる限り高い位置に設置すると共に，アンテナマスト１０１に高利得で低雑音のＴＶ受信用増幅装置の構成要素である，第１の増幅装置１を設置して受信していた。このようなＴＶ受信用増幅装置によると，第１の増幅装置１は防水性を良くしたケース（例えばＡＢＳ製で形成された樹脂ケース等）に収納されてアンテナマスト１０１に設置され，第２の増幅装置１０もしくは第２の増幅装置１０に電源供給装置を内蔵させた構成の物を，宅内のテレビ受像機２３の上等に設置されるように構成されており，テレビアンテナ２０と第１の増幅装置との間及び第１の増幅装置１と第２の増幅装置１０もしくは電源供給装置等との間は夫々伝送線２１，２２を介して接続，配置されていた。
図５の例ではテレビアンテナで受信された信号は，同軸ケーブル２１を介して第１の増幅装置１に入力される。入力された信号は切換手段であるリレー２−１，２−２でもって，第１の増幅器３もしくは減衰器４が選択されてから，電源分離フィルター５を通過後出力される。この選択は第２の増幅装置１０に備えさせたスイッチ１４の入り切りによって，電源１５から第２の増幅装置１０の電源分離フィルター１１，同軸ケーブル２２，第１の増幅装置１の電源分離フィルター５を通してリレー２−１，２−２に電源が入り切りされ，これによる当該リレー２−１，２−２の切換えによって行われる。
更に第２の増幅装置１０に備えさせた電源１５からは前記第１の増幅器３及び前記第２の増幅装置１０に備えさせた第２の増幅器１３にも最適な電源が供給される。こうして第１の増幅装置１において増幅された受信信号は，同軸ケーブル２２を介して前記第２の増幅装置１０に入力される。この入力信号は電源分離フィルター１１を通過後，可変減衰器１２で適宜利得調整されてから第２の増幅器１３で増幅された後に出力され，テレビ受像機２３に供給される。２４はＡＣプラグである。
（例えば特許文献１参照）
【０００３】
【特許文献１】
特開平６−３２６５３４号公報
【０００４】
【発明が解決しようとする課題】
しかし，従来のＴＶ受信用増幅装置によると，テレビアンテナと増幅器との間に開設される伝送線の損失や，上述の例のように第１の増幅器の入力側に設けられたリレーのように，高周波損失が発生する物を介在させているにもかかわらず，特に弱電界地域においても当該増幅器を含んだ第１の増幅装置をテレビアンテナから離れた位置に設置していた。
これはテレビアンテナにあまりに近接させて設置すると，テレビアンテナの特性に影響を与えると言った問題や，また特に弱電界地域用のＴＶ受信用増幅装置の増幅器は高利得となるように構成されているため，テレビアンテナと第１の増幅装置との間の伝送線の配設に注意を払わないと，第１の増幅装置が発振する恐れがあったからであった。
更に，特に弱電界地域においてはテレビアンテナを出来る限り高い位置に設置して，より高い受信レベルを確保するために，アンテナマストを長く（例えば１０乃至２０ｍ）する必要がある。しかしながら受信Ｃ／Ｎの劣化を少なくするために，伝送線による伝送損失を少なくするよう，テレビアンテナと第１の増幅装置との間の伝送線を，出来得る限り短くなるように配設する必要が生じ，当該増幅器はアンテナマストの上部に設置されることになり，人の手が直接届くような場所には設置されない。このため新しく受信システムを設置する場合や，既設のテレビアンテナに，遠方から送信される電波を受信するためのＴＶ受信用増幅装置を設置したり，当該ＴＶ受信用増幅装置のメンテナンスを行ったりする事は，アンテナマストを登ったり，マストの上部に届くように梯子をかけたり等の高所作業をする必要が生じ大変危険な作業であったし，特に弱電界地域における受信に際して受信Ｃ／Ｎが伝送線の伝送損失等で劣化すると言った問題があった。
そこで本発明はこのような問題点を解決するためになされたものであり，
その目的は，ＴＶ受信用増幅装置を提供することにある。
その目的は，特に弱電界地域に適したＴＶ受信用増幅装置を提供することにある。
他の目的は，弱電界地域用に高所に設置したテレビアンテナに適したＴＶ受信用増幅装置を提供することにある。
他の目的は，第１の増幅装置と第２の増幅装置と電源供給装置とから成るＴＶ受信用増幅装置を提供することにある。
他の目的は，前記第２の増幅装置と電源供給装置とは，人の手が直接届く範囲に設置するよう構成されたＴＶ受信用増幅装置を提供することにある。
【０００５】
【課題を解決するための手段】
上記課題を解決するために，請求項１の発明は，テレビアンテナによる受信信号を増幅するＴＶ受信用増幅装置において，
上記テレビアンテナの給電部に内蔵させた第１の増幅器からなる第１の増幅装置と，
出力端子と入力端子との間を電流通過するように構成された電源分離フィルターと第２の増幅器とからなる第２の増幅装置と，
電源供給装置とを備え，
上記第１の増幅装置は支柱の上部に，上記第２の増幅装置は前記支柱の下部に配設され，
上記第１の増幅装置の出力端子と第２の増幅装置の入力端子間及び，上記第２の増幅装置の出力端子と電源供給装置の入力端子間を接続する伝送路を介して，当該電源供給装置から第１の増幅装置及び第２の増幅装置に電源供給すると共に，上記第２の増幅装置は少なくとも直接手で触れる位置に配設されるように構成される。
【０００６】
請求項２の発明は，上記第２の増幅装置は，少なくとも直接手で触れる位置に配設されるよう構成される。
【０００７】
請求項３の発明は，上記電源供給装置に上記第２の増幅器を内蔵させた電源供給装置を形成し，上記第１の増幅装置の出力端子と，当該電源供給装置の入力端子間を接続する伝送路を介して，当該電源供給装置から上記第１の増幅器に電源供給すると共に，上記電源供給装置は少なくとも直接手で触れる位置に配設されるよう構成される。
【０００８】
請求項４の発明は，  上記電源供給装置は，少なくとも直接手で触れる位置に配設されるよう構成される。
【０００９】
請求項５の発明は  上記第１の増幅装置及び第２の増幅装置は少なくともテレビ信号のＶＨＦ帯を増幅する増幅器から構成される。
【００１０】
【本発明の実施の形態】
以下に，本発明を具体化した実施形態の１例を，図面を基に詳細に説明する。図１は本発明におけるＴＶ受信用増幅装置の回路ブロックの例であり，図２は本発明に係るＴＶ受信用増幅装置の設置の状態を示す１例をしめしている。図３，図４は本発明に係るＴＶ受信用増幅装置の回路ブロックの他の実施例について示す。図５は従来のＴＶ受信用増幅装置の回路ブロックの例であり，図６は従来のＴＶ受信用増幅装置の設置の状態を示す１例を示す。
【００１１】
図１に本発明のＴＶ受信用増幅装置のブロック図を示す。この図において  ３０はテレビアンテナの給電部６０に内蔵された第１の増幅器３３を含む第１の増幅装置である。３４は電源分離フィルターであり，同軸ケーブル６２を介して伝送されてきた電源を分離して取り出し第１の増幅器３３に電源供給するためのものである。３１は整合器，３２は例えばポケットベル等による受信障害対策用の妨害波除去フィルターであり，例えばトラップ回路等のフィルターで構成されている。３５は切換手段である。
尚，本願においては第１の増幅器３３の前に，前記妨害波除去フィルター３１を配置した構成になっているが，当該フィルター３１の代わりに，入り切り自在に構成された減衰器でも良いし，可変減衰器で構成しても良い。また，無くても良い。
【００１２】
前記第１の増幅装置３０は，同軸ケーブル６２を介して第２の増幅装置４０に接続されている。この第２の増幅装置４０において，４１は後述の電源供給装置５０から同軸ケーブル６３に重畳されて送られた電源を前記第１の増幅装置４０に伝送するための電源分離フィルター。４３は前記第１の増幅装置３０から伝送されたテレビ信号を増幅する第２の増幅器。４２は当該増幅装置４０の利得を調整する可変減衰器。４４は後述の電源供給器５０から同軸ケーブル６３に重畳されて送られた電源を，前記第２の増幅器４３及び前記第１の増幅器３３側へ電源を供給するための電源分離フィルターである。
【００１３】
更に，前記第２の増幅装置４０は，同軸ケーブル６３を介して電源供給装置５０に接続されている。この電源供給装置５０において，５２は商用電源を前記第１及び第２の増幅装置３０，４０に対応する電源に変換する電源回路，５１は当該電源を前記第１及び第２の増幅装置側３０，４０へ電源を供給するための電源分離フィルター，６４は前記電源供給装置５０の出力を供給されているテレビ受信機，６５は商用電源に接続されるＡＣプラグである。
【００１４】
この実施例に示すＴＶ受信用増幅装置の動作及び設置例について図１及び図２を基に説明する。本願のＴＶ受信用増幅装置は特に弱電界地域に適した増幅装置であり，その用途から低雑音で高利得であることが要件となる。また，受信Ｃ／Ｎを出来る限り劣化させないためにも，この増幅装置に入力される受信信号レベルの損失を少なくする必要がある。
更に言えば，テレビアンテナ設置用のアンテナマスト１０１の長さも考慮する必要がある。例えばＶＨＦ帯域の周波数を受信する場合においては，通常の建物を考えた場合，テレビアンテナ１００は出来る限り高くなるように設置することで受信レベルを高くすることができる。また，図には示されていないが，ＵＨＦ帯域においては受信信号の波長に比べてテレビアンテナの設置場所が高くなるので，テレビアンテナ設置の高さについて十分吟味する必要がある。
【００１５】
以上のことから，特に弱電界地域のＴＶ受信用増幅装置においては，テレビアンテナを高い位置に設置すると共に，テレビアンテナ１００と第１の増幅装置３０との間の伝送損失を少なくするために，出来得る限りアンテナマスト１０１の上部に取り付けられることが求められ，これによってＴＶ受信用増幅装置の取り付けや，メンテナンス等の容易性が失われていたのである。
そこで本願においては図１，２に示すように，ＴＶ受信用増幅装置を構成する第１の受信装置３０はテレビアンテナ１００の給電部６０に内蔵させ，第２の増幅装置４０はアンテナマスト１０１の下部等で直接人の手が届く範囲に設置するよう構成されている。
また，この実施例では，切換手段３５を用いてフィルターや減衰器等を信号線に対して入り切りするよう構成されているが。切換手段３５は用いなくても良い。
【００１６】
テレビアンテナ１００で受信したテレビ信号は，前記第１の増幅装置３０において増幅される。この第１の増幅装置３０の実施例には，トラップ回路３２が備えさせてある。このトラップ回路は受信帯域内におけるチャンネル近傍に存在する妨害波（例えばポケットベル用の電波）を除去するためのフィルターであり，切換手段３５によって信号線に対して挿入したり切り離ししたりするよう構成されており，妨害の発生が予想されるときには予め切換手段をＯＮにしてテレビアンテナを設置する。尚，本願において上記フィルター３２はトラップ回路で構成されているが，妨害波を阻止する構成であれば他の構成でも良い。更に妨害波素子フィルター３２の代わりに減衰器を備えさせた構成であっても良い。
【００１７】
そして第１の増幅器３３によって増幅された信号は，電源分離フィルター３４を通過して出力されてから同軸ケーブル６２を介して第２の増幅装置４０に伝送されている。同軸ケーブル６２には電源供給装置５０からの電源が前記第２の増幅装置４０を介して重畳されており，この電源は電源分離フィルター３４によって分離されて第１の増幅器３３に印加されている。
【００１８】
上記のように同軸ケーブル６２によって伝送された受信信号は第２の増幅装置４０に入力される。入力された信号は電源分離フィルター４１をそのまま通過して可変減衰器４２に印加され適宜利得調整される。さらに前記可変減衰器４２の出力信号は第２の増幅器４３によって増幅される。この増幅された信号は電源分離フィルター４４を通過して第２の増幅装置４０から同軸ケーブル６３を介して電源供給器５０に伝送されている。前記電源分離フィルター４４によって分離された電源は，電源分離フィルター４１に接続されており，同軸ケーブル６３を介して供給された電源供給装置５０からの電源を第２の増幅器４３に印加すると共に，前記第１の増幅装置３０側へと電流通過するよう構成されている。
【００１９】
こうして同軸ケーブル６３によって伝送された受信信号は電源供給装置５０に入力される。入力された信号は電源分離フィルター５１を通過して，前記電源供給装置５０から出力されて，テレビ受信機に供給されている。
【００２０】
上述のように第１の増幅装置３０において増幅された信号は，同軸ケーブルを介して第２の増幅装置４０に入力される。
この時，前記第２の増幅装置４０をアンテナマスト１０１の下部位置であって，当該アンテナマスト１０１を設置した場所から，人の手が直接手に届く範囲に設置する。
これによって，弱電界地域におけるテレビアンテナ設置の，アンテナ高（例えば１０ｍ〜２０ｍ）において，従来の取付方法のように例えばアンテナマスト１０１を登ったり，梯子等の手段を用いたりして増幅装置を取り付けることが無いので，設置工事やメンテナンス等の容易性においてきわめて有効であるＴＶ受信用増幅装置が提供できる。
しかも前記第１の増幅装置３０をテレビアンテナ１０１の給電部６０に内蔵させたことによって，従来の設置例の如くテレビアンテナ１００と第１の増幅装置３０の間に介在する同軸ケーブルの損失を補償された信号が前記第１の増幅装置３０に入力されることで，受信Ｃ／Ｎを劣化させること無く，従来の構成のＴＶ受信用増幅装置に比べてＣ／Ｎの良い受信ができる。
更に第２の増幅装置４０を人の手が直接手に届く範囲に配設することで調整等が簡単にできると言った点でも有効である。
【００２１】
次に本発明の第２の実施形態として図３を参照して説明する。尚，以下の説明では，上記第１の実施形態のＴＶ受信用増幅装置と同様の構成要素については同一符号を付与し，詳細な説明は省略する。
【００２２】
この図の実施例におけるＴＶ受信用増幅装置は，ＶＨＦ帯とＵＨＦ帯のテレビ信号を増幅するよう構成されている。３０は第１の増幅装置であり，３６は図示されていないＵＨＦテレビアンテナから同軸ケーブル６１を介して伝送された受信信号を増幅するＵＨＦ増幅器である。６０はＶＨＦテレビアンテナの給電部であり，当該給電部６０には，整合器３１と，例えばポケットベルによる受信障害対策用の妨害波除去用のフィルター３２と，ＶＨＦ増幅器３３とが接続されている。３５は切換手段である。
前記ＵＨＦ増幅器３６と前記ＶＨＦ増幅器３３との出力信号は混合器３７で混合された後，同軸ケーブル６２を介して伝送されてきた電源を分離して取り出し，前記ＵＨＦ増幅器３６と前記ＶＨＦ増幅器３３に電源供給するための電源分離フィルター３４を介して出力される。
上述の各構成要素は，前記ＶＨＦテレビアンテナ１００の給電部６０の収容ケース（例えば合成樹脂製材料で形成された）に内蔵させてある。
尚，本願においてはＶＨＦ増幅器３３の前に，前記妨害波除去用フィルター３２を配置した構成になっているが，当該フィルター３２の代わりに信号線に入り切り自在に構成された減衰器を配置しても良いし，可変減衰器を配置しても良いし無くても良い。また前記フィルター３２や減衰器等が無くても良い。
【００２３】
前記第１の増幅装置３０は，同軸ケーブル６２を介して第２の増幅装置４０に接続されている。この第２の増幅装置４０において，４１は後述の電源供給装置５０から同軸ケーブル６３に重畳されて送られた電源を前記第１の増幅装置３０側に伝送するための電源分離フィルター。４５は前記第１の増幅装置３０から伝送されたテレビ信号をＶＨＦとＵＨＦに分波する分波器。４２はＶＨＦ増幅器４３の利得を調整する可変減衰器，４３はＶＨＦ増幅器である。４６はＵＨＦ増幅器４７の利得を調整する可変減衰器，４７はＵＨＦ増幅器である。４８は当該ＶＨＦ増幅器４３とＵＨＦ増幅器４７の出力を混合するための混合器。混合器４８から出力された信号は，後述の電源供給器５０から同軸ケーブル６３に重畳されて送られた電源を，前記ＶＨＦ増幅器４３とＵＨＦ増幅器４７及び前記第１の増幅装置３０側へ電源を供給するための電源分離フィルター４４を介して出力される。
【００２４】
更に，前記第２の増幅装置４０は，同軸ケーブル６３を介して電源供給装置５０に接続されている。この電源供給装置５０において，５２は商用電源を前記第１及び第２の増幅装置３０，４０に対応する電源に変換する電源回路，５１は当該電源を前記第１の増幅装置３０側及び第２の増幅装置４０側へ電源を供給するための電源分離フィルター，６４は前記電源供給装置から信号が供給されているテレビ受信機，６５は商用電源に接続されるＡＣプラグである。
【００２５】
この実施例に示すＴＶ受信用増幅装置の動作について図３を基に更に詳しく説明する。本願のＴＶ受信用増幅装置においても，当該ＴＶ受信用増幅装置は，出来得る限りアンテナマストの上部に取り付けられる必要がある。しかしながら，このことはＴＶ受信用増幅装置の取り付けや，メンテナンス等の容易性が失われる要因となっていたのである。
そこで本願においては図に示すように，ＴＶ受信用増幅装置を構成する第１の増幅装置３０は，ＵＨＦ増幅器３６とＶＨＦ増幅器３３とをＶＨＦテレビアンテナ１００の給電部６０に内蔵させると共に，ＵＨＦテレビアンテナ（図示されていない）からの信号は混合するように構成されている。そして，第２の増幅装置はアンテナマスト１０１の下部等で直接人の手が届く範囲に設置するよう構成されている。
【００２６】
テレビアンテナで受信したＶＨＦ及びＵＨＦテレビ信号は，前記第１の増幅装置３０において増幅される。この第１の増幅装置３０におけるＶＨＦ側の実施例には，トラップ回路３２が備えさせてある。このトラップ回路３２は受信帯域内におけるチャンネル近傍に存在する妨害波（例えばポケットベル用の電波）を除去するためのフィルターであり，切換手段３５によって信号線に対して挿入したり切り離ししたりするよう構成されており，妨害の発生が予想されるときには予め切換手段をＯＮにしてテレビアンテナを設置する。
そしてＶＨＦ増幅器３３とＵＨＦ増幅器３６によって増幅された夫々の信号は，混合器３７によって混合されてから電源分離フィルター３４を通過して同軸ケーブル６２を介して第２の増幅装置４０に伝送されている。同軸ケーブル６２には電源供給装置５０からの電源が前記第２の増幅装置４０を介して重畳されており，この電源は電源分離フィルター３４によって分離されて当該電源分離フィルター３４からＶＨＦ増幅器３３とＵＨＦ増幅器３６に印加されている。
【００２７】
このように同軸ケーブル６２によって伝送された受信信号は第２の増幅装置４０に入力される。入力された信号は電源分離フィルター４１をそのまま通過して分波器４５に印加される。当該分波器４５に印加された信号はＶＨＦ信号とＵＨＦ信号に分波される。ＶＨＦ信号は可変減衰器４２に印加されここで必要に応じて適宜利得の調整が行われ，さらに前記可変減衰器４２の出力信号は第２の増幅器４３によって増幅される。ＵＨＦ信号は可変減衰器４６に印加されここで必要に応じて適宜利得の調整が行われ，さらに前記可変減衰器４６の出力信号は第２の増幅器４７によって増幅される。このそれぞれの増幅器において増幅された信号は混合器４８によって混合されてから，電源分離フィルター４４を通過して第２の増幅装置４０から同軸ケーブル６３を介して電源供給装置５０に伝送されている。
前記電源分離フィルター４１と電源分離フィルター４４は互いに接続されており，同軸ケーブル６３を介して電源供給装置５０からの電源を第２の増幅装置４０のＶＨＦ増幅器３３とＵＨＦ増幅器３６に印加すると共に，前記第１の増幅装置３０へと電流通過するよう構成されている。
【００２８】
こうして同軸ケーブル６３によって伝送された受信信号は電源供給装置５０に入力される。入力された信号は電源分離フィルター５１を通過して，前記電源供給装置５０から出力されて，テレビ受信機に供給されている。
【００２９】
上述のように第１の増幅装置３０において増幅された信号は，同軸ケーブルを介して第２の増幅装置４０に入力される。
この時，前記第２の増幅装置４０をアンテナマスト１０１の下部位置であって，当該アンテナマスト１０１を設置した場所から，人の手が直接手に届く範囲に設置する。
これによって，弱電界地域におけるテレビアンテナ設置に一般的である，アンテナ高（例えば１０ｍ〜２０ｍ）において，例えばアンテナマスト１０１を登ったり，梯子等の手段を用いたりして増幅装置を取り付けることなく，しかも前記第１の増幅装置３０によって，受信Ｃ／Ｎを劣化させること無く且つ第１の増幅装置と第２の増幅装置の間に介在する同軸ケーブルの損失を補償された信号が前記第２の増幅装置４０に入力されることで，従来の構成のＴＶ受信用増幅装置に比べてＣ／Ｎの良い受信ができると共に，設置工事やメンテナンス等の容易性においてきわめて有効であるＴＶ受信用増幅装置が提供できる。更に第２の増幅装置４０を人の手が直接手に届く範囲に配設することで調整等が簡単にできると言った点でも有効である。
【００３０】
また，図４に示すように第２の増幅装置４０と電源供給装置５０を一体化させて，例えばテレビ受信機の上等に設置する方法でも良い。このように，本発明は上記実施の形態に限定されるものではなく，本発明の趣旨を逸脱しない範囲で各部の構成等を適宜に変更して実施することも可能である。
【００３１】
【発明の効果】
以上詳述したように，請求項１及び請求項２の発明は，テレビアンテナによる受信信号を増幅するＴＶ受信用増幅装置において，
上記テレビアンテナの給電部に内蔵させた第１の増幅器からなる第１の増幅装置と，
出力端子と入力端子との間を電流通過するように構成された電源分離フィルターと第２の増幅器とからなる第２の増幅装置と，
電源供給装置とを備え，
上記第１の増幅装置は支柱の上部に，上記第２の増幅装置は前記支柱の下部に配設され，
上記第１の増幅装置の出力端子と第２の増幅装置の入力端子間及び，上記第２の増幅装置の出力端子と電源供給装置の入力端子間を接続する伝送路を介して，当該電源供給装置から第１の増幅装置及び第２の増幅装置に電源供給するように構成し，更に，上記第２の増幅装置は少なくとも直接手で触れる位置に配設されるように構成したので，テレビアンテナと第１の増幅装置との間に高周波損失が発生する同軸ケーブル等を介在させないため，Ｃ／Ｎの劣化が少ないＴＶ受信用増幅装置が提供できるうえ，当該増幅装置のアンテナマスト取り付けにおいてアンテナマストに登ったり，梯子をかけたりして取り付けなくても，低雑音で高利得であって，且つ，取り付けの容易性・安全性において有効なＴＶ受信用増幅装置が提供できる。
【００３２】
請求項３及び請求項４の発明によれば，上記電源供給装置に上記第２の増幅器を内蔵させた電源供給装置を形成し，上記第１の増幅装置の出力端子と，当該電源供給装置の入力端子間を接続する伝送路を介して，当該電源供給装置から上記第１の増幅器に電源供給すると共に，上記電源供給装置は少なくとも直接手で触れる位置に配設されるよう構成したので，更に取り付け工事の便利性の良いＴＶ受信用増幅装置が提供できる。
【００３３】
請求項５の発明によれば，上記第１の増幅装置及び第２の増幅装置は少なくともテレビ信号のＶＨＦ帯を増幅する増幅器から構成したので，ＶＨＦ帯の弱電界地域に適したＴＶ受信用増幅装置が提供できる。
【図面の簡単な説明】
【図１】本発明におけるＴＶ受信用増幅装置の回路ブロックの例について示す。
【図２】本発明に係るＴＶ受信用増幅装置の設置の状態を示す１例を示す。
【図３】本発明に係るＴＶ受信用増幅装置の回路ブロックの他の実施例について示す。
【図４】本発明に係るＴＶ受信用増幅装置の回路ブロックの他の実施例について示す。
【図５】従来のＴＶ受信用増幅装置の回路ブロックの例について示す。
【図６】従来のＴＶ受信用増幅装置の設置の状態を示す１例を示す。
【符号の説明】
１…第１の増幅装置，２−１，２−２…リレー，３…第１の増幅器，４…減衰器，５…電源分離フィルター，１０…第２の増幅装置，１１…電源分離フィルター，１２…可変減衰器，１３…第２の増幅器，１４…スイッチ，１５…電源回路，２１…同軸ケーブル，２２…同軸ケーブル，２３…テレビ受像機，２４…ＡＣプラグ，３０…第１の増幅装置，３１…整合回路，３２…フィルター，３３…ＶＨＦ増幅器，３４…電源分離フィルター，３５…切換手段，３６…ＵＨＦ増幅器，３７…混合器，４０…第２の増幅装置，４１…電源分離フィルター，４２…可変減衰器，４３…ＶＨＦ増幅器，４４…電源分離フィルター，５０…電源供給器，５１…電源分離フィルター，５２…電源回路，６０…給電部，６１…同軸ケーブル，６２…同軸ケーブル，６３…同軸ケーブル，６４…テレビ受像機，６５…ＡＤプラグ，１００…テレビアンテナ（ＶＨＦテレビアンテナ），１０１…アンテナマスト
【図１】
2004214939.tif 000003
【図２】
2004214939.tif 000004
【図３】
2004214939.tif 000005
【図４】
2004214939.tif 000006
【図５】
2004214939.tif 000007
【図６】
2004214939.tif 000008